(57)【要約】【課題】  画像等のコンテンツ情報の送信先として、通話中または最新の通話相手の電話番号に対応付けられた送信先を自動的に設定する事が可能な通信装置を提供する。【解決手段】  通話中または通話後の所定の期間内に為された特定操作を特定操作検知部１０３で検知した場合に、送信先設定部１０２は、カメラ部１０６が起動後に撮影した画像またはコンテンツ記憶部に記憶されている指定されたコンテンツ情報の送信先として、送信先データ記憶部１０８を参照して通話中または最新の通話相手の電話番号に対応付けられた送信先データを自動的に設定する。【選択図】    図１
2013258440.tif 000002
【特許請求の範囲】
【請求項１】
通信中の相手と通話する通話機能と、自装置に蓄積されているコンテンツまたは自装置に入力するコンテンツを所定の送信先へ送信するコンテンツ送信機能を具備する通信装置であって、
自装置が備える操作部に為された特定操作を検知する特定操作検知手段と、送信先データを電話番号と対応付けて登録する送信先登録手段と、を有し、
送信すべきコンテンツを指定する特定操作が為された場合に、前記特定操作が為された時に通話中であった相手または前記特定操作が為される以前の最新に通話した相手の電話番号を抽出し、前記送信先登録手段を参照して前記抽出した電話番号に対応付けられた送信先データを特定し、前記特定した送信先データを前記特定操作が指定するコンテンツの送信先データとして自動的に設定することを特徴とする送信先自動設定機能を有する通信装置。
【請求項２】
請求項１に記載の通信装置において、
前記特定操作が指定した送信先データを自動的に設定した後に、前記設定した送信先データを解除する解除操作が為された場合または予め定められた解除条件を満足した場合に前記設定した送信先データを解除することを特徴とする送信先自動設定機能を有する通信装置。
【請求項３】
請求項２に記載の通信装置において、
前記予め定められた解除条件は、前記送信先データを自動的に設定してから予め定められた所定の期間が経過した場合であることを特徴とする送信先自動設定機能を有する通信装置。
【請求項４】
請求項１から３のいずれかに記載の通信装置において、
前記自装置に入力するコンテンツは、自装置が備えるまたは自装置と接続されたカメラから入力する静止画像または動画像に係わる画像情報であることを特徴とする送信先自動設定機能を有する通信装置。
【請求項５】
請求項１から４のいずれかに記載の通信装置において、
前記データ送信機能は電子メール送信機能であって、前記送信先データは電子メールアドレスであることを特徴とする送信先自動設定機能を有する通信装置。
【発明の詳細な説明】
【技術分野】
【０００１】
本発明は、静止画像または動画像またはその他のコンテンツ情報を所定の送信先へ送信する機能を具備する通信装置に関する。
【背景技術】
【０００２】
カメラ付きの携帯電話機の普及に伴い、旅行先や出張先から通話した相手へ、旅行先や出張先で撮影した人物や風景等の画像を送信するニーズがあるが、通話と画像の送信は独立した通信であることから、従来、操作が面倒であった。
【０００３】
これを改善する技術として、通信相手との通話中に人物や風景等を撮影した場合に、通話中の相手の電話番号に対応するメールアドレスへ、撮影した画像情報を送信する通信装置に係わる技術がある（例えば、特許文献１）。
【０００４】
しかしながら、特許文献１の技術においては、画像情報の送信タイミングは通話中の場合に限定されているため、通話と撮影を同時に行う必要があり、撮影または通話のいずれかが疎かになる可能性があった。また、通話終了後に撮影した場合には、通話していた相手のメールアドレスを改めて指定する操作が必要であり、従来と同様に面倒であった。
【先行技術文献】
【特許文献】
【０００５】
【特許文献１】特開２００８−２２６１９８号公報
【発明の概要】
【発明が解決しようとする課題】
【０００６】
そこで、本発明の課題は、画像等のコンテンツを送信するタイミングが通話終了後であっても、メールアドレスを改めて指定する操作が不要な通信装置を提供することにある。
【課題を解決するための手段】
【０００７】
上記課題を解決するために、本発明は、通信中の相手と通話する通話機能と、自装置に蓄積されているコンテンツまたは自装置に入力するコンテンツを所定の送信先へ送信するコンテンツ送信機能を具備する通信装置であって、自装置が備える操作部に為された特定操作を検知する特定操作検知手段と、送信先データを電話番号と対応付けて登録する送信先登録手段と、を有し、送信すべきコンテンツを指定する特定操作が為された場合に、前記特定操作が為された時に通話中であった相手または前記特定操作が為される以前の最新に通話した相手の電話番号を抽出し、前記送信先登録手段を参照して前記抽出した電話番号に対応付けられた送信先データを特定し、前記特定した送信先データを前記特定操作が指定するコンテンツの送信先データとして自動的に設定することを特徴とする。
【発明の効果】
【０００８】
本発明によれば、画像等のコンテンツを送信するタイミングが、通話中または通話終了後のいずれであっても、メールアドレス等の送信先を指定する操作が不要な通信装置を提供することができる。
【図面の簡単な説明】
【０００９】
【図１】本発明による通信装置の機能ブロック図である。
【図２】本発明による通信装置の動作フローチャート図である。
【発明を実施するための形態】
【００１０】
以下、本発明の実施例について図面を用いて説明する。
図１は、本発明による通信装置（以下、本装置と略す）の機能ブロック図である。本装置１は、ネットワーク２を介して相手装置３へ、カメラ部１０６が撮影した画像情報やコンテンツ記憶部１０７に記憶されているコンテンツ情報を送信する。
【００１１】
本装置１は、通話または画像情報やコンテンツ情報の通信に係る処理を実行する通信処理部１００と、マイクやスピーカを含む（図示せず）通話に係る処理を実行する通話部１０１と、画像情報やコンテンツ情報の送信先を設定する送信先設定部１０２と、特定操作を検知する特定操作検知部１０３と、本装置１の使用者が操作する操作部１０４と、本装置１の全体的な制御を実行する制御部１０５と、静止画像または動画像を撮影または外部機器（図示せず）から入力するカメラ部１０６と、カメラ部１０６が撮影した画像情報や入力された画像以外の各種コンテンツ情報を記憶するコンテンツ記憶部１０７と、画像情報やコンテンツ情報の送信先データ（送信先と略すこともある）を電話番号と関連付けて記憶する送信先データ記憶部１０８と、から構成される。
【００１２】
カメラ部１０６は、動画カメラまたは静止画カメラとして動作するカメラを内蔵した画像情報の入力手段として図示しているが、カメラは本装置１と接続された外付けのカメラであっても良い。また、コンテンツ記憶部１０７が記憶するコンテンツ情報は、外部機器（図示せず）から入力した、文字情報，図形情報，画像情報を含む各種資料のコンテンツ情報に加え、カメラ部１０６が撮影した動画像または静止画像も記憶可能である。
【００１３】
相手装置３の電話番号と関連付けられて送信先データ記憶部１０８に記憶される送信先データは、電子メールアドレスとして説明するが、送信先を特定し得るものであれば、これに限定されない。
【００１４】
相手装置３は、通話機能および画像受信機能の両方を具備する通信装置に限定されない。例えば、相手装置３は、画像受信機能の無い汎用的な電話機と、通話機能が無く画像受信機能のみを有するデジタルフォトフレームのような通信装置の組合せであっても良い。
【００１５】
図２は、本装置１の動作フローチャート図である。以下、図１を併用して、本装置１の動作フローを説明する。
【００１６】
本フローは電源が投入された状態でスタートし（Ｓ２００）、待機中において、特定操作の有無（Ｓ２１０）、送信先データの入力の有無（Ｓ２３０）、解除条件の検知の有無（Ｓ２４０）、送信操作の有無（Ｓ２５０）を監視する。
【００１７】
Ｓ２１０において、特定操作（例えば、「＃」＋「アドレスボタン」）を検知すると（Ｓ２１０、ＹＥＳ）、現在通話中であれば（Ｓ２１１，ＹＥＳ）、通話している相手の電話番号を取得し（Ｓ２１３）、通話中でなければ（Ｓ２１１，ＮＯ）、通話履歴データベース（図示せず）から最新に通話した相手の電話番号を取得し（Ｓ２１２）、Ｓ２１４へ進む。なお、通話履歴データベースとその検索機能は通常の電話装置が備えている機能であり、本装置１では制御部１０５内に存在する。
【００１８】
Ｓ２１４において、制御部１０５は送信先設定部１０２を起動し、送信先設定部１０２は、送信先データ記憶部１０８を参照して、取得した電話番号に対応する送信先データを検索する。そして、送信先設定部１０２は、検索した送信先データを、次に送信操作が為された場合の送信先として設定し（Ｓ２１５）、Ｓ２２０へ進む。この時、既に設定されている送信先データがあれば、上書きしてその既に設定されている送信先データを削除する。
【００１９】
Ｓ２２０において、操作部１０４を介して、送信すべきコンテンツ情報が指定されると（Ｓ２２０，ＹＥＳ）、指定されたコンテンツ情報をコンテンツ記憶部１０７から検索し（Ｓ２２１）、Ｓ２１０へ戻る。そして、操作部１０４を介して、送信操作が為されると（Ｓ２５０，ＹＥＳ）、検索したコンテンツ情報をＳ２１５で設定された送信先へ送信する（Ｓ２５１）。これにより、例えば、通話中の相手から求められた資料等のコンテンツ情報を、簡単な操作で、通話中または通話後に所定の送信先へ送信することが出来る。Ｓ２２０で、送信すべきコンテンツ情報の指定が無ければ（Ｓ２２０，ＮＯ）、Ｓ２２２へ進む。
なお、本フローでは省略しているが、Ｓ２２０におけるコンテンツ指定は、カメラ部１０６以外のビデオレコーダ等（図示せず）からリアルタイムで本装置１に入力する動画像コンテンツであっても良い。この場合、その動画像コンテンツをコンテンツ記憶部１０７に記憶する必要は無く（記憶しても良い）、Ｓ２２１をスキップすれば良い。
【００２０】
Ｓ２２２において、操作部１０４を介して、動画カメラとしてのカメラ部１０６が起動された場合（Ｓ２２２，ＹＥＳ）、カメラ部１０６を動画カメラとして起動し、Ｓ２１５で設定された送信先へ撮影した動画情報の送信を開始する（Ｓ２２３）。これにより、送信先を設定することなく、例えば、出張先から周辺の状況を撮影した映像を併用して状況を説明することが出来る。Ｓ２２２で、動画カメラとしてのカメラ部１０６の起動が無ければ（Ｓ２２２，ＮＯ）、Ｓ２２４へ進む。
【００２１】
Ｓ２２４において、操作部１０４を介して、静止画カメラとしてのカメラ部１０６が起動された場合（Ｓ２２４，ＹＥＳ）、カメラ部１０６を静止画カメラとして起動し、撮影した静止画情報をコンテンツ記憶部１０７に記憶し（Ｓ２２５）、Ｓ２１０へ戻る。そして、操作部１０４を介して、送信操作が為されると（Ｓ２５０，ＹＥＳ）、記憶した静止画情報をＳ２１５で設定された送信先へ送信する（Ｓ２５１）。これにより、例えば、通話中であった相手から求められた周辺の風景や人物の静止画情報を、通話後にゆっくりと撮影し、簡単な操作で、所定の送信先へ送信することが出来る。Ｓ２２４で、ＮＯであれば、Ｓ２１０へ戻る。
【００２２】
Ｓ２３０において、送信先データが入力されると（Ｓ２３０，ＹＥＳ）、送信先設定部１０２は、入力された送信先データを次に送信操作が為された場合の送信先として設定し（Ｓ２３１）、Ｓ２１０へ戻る。この時、既に設定されている送信先データがあれば、上書きしてその既に設定されている送信先データを削除する。これにより、Ｓ２１５で設定した、最新に通話した相手の電話番号に対応した送信先以外の送信先を変更することが可能となる。例えば、通話履歴に残っている最新以外の電話番号や、通話履歴に残っていない電話番号を電話帳データベースから検索して、対応する送信先データを設定することが出来る。
【００２３】
Ｓ２４０において、所定の解除条件を検知した場合（Ｓ２４０，ＹＥＳ）、動作中のカメラ部１０６を停止し、送信先設定部１０２が設定した送信先データを削除し（Ｓ２４１）、Ｓ２１０へ戻る。
【００２４】
ここで、解除条件とは、例えば、図示しないタイマにより設定した送信先データの有効期限の満了（例えば、３０分）を検知した場合や、図示しないカレンダ機能により設定されている、定期的または非定期な出張期間が終了した場合や、動画カメラとしてのカメラ部１０６が停止された場合や、操作部１０４からの削除操作を検知した場合等である。
【００２５】
Ｓ２５０において、操作部１０４を介して、送信操作が為されると（Ｓ２５０，ＹＥＳ）、Ｓ２２５で記憶した静止画情報、またはＳ２２０で指定されたコンテンツ情報を、Ｓ２１５またはＳ２３１で設定された送信先へ送信し（Ｓ２５１）、Ｓ２１０へ戻る。なお、この送信操作は、通話後の待機中であってもよいし、通話継続中であってもよい。
【００２６】
以上、本装置１の動作フローを説明した。本装置１によれば、カメラで撮影した動画像や静止画像や指定されたコンテンツ情報を、通話中または通話終了後のいずれであっても、メールアドレス等の送信先データの設定操作を省略することが出来る。
【００２７】
尚、本発明の通信装置は趣旨を逸脱しない範囲であれば、様々な変更が可能である。例えば、本装置１は、電子メール送信機能を有する携帯電話端末であって、電子メールの添付ファイルとして、コンテンツ情報や静止画像情報を送信するものであっても良い。
【符号の説明】
【００２８】
１・・・通信装置
２・・・ネットワーク
３・・・相手装置
１００・・・通信処理部
１０１・・・通話部
１０２・・・送信先設定部
１０３・・・特定操作検知部
１０４・・・操作部
１０５・・・制御部
１０６・・・カメラ部
１０７・・・コンテンツ記憶部
１０８・・・送信先データ記憶部
【図１】
2013258440.tif 000003
【図２】
2013258440.tif 000004